(57)【要約】【課題】新聞の折込広告の配布エリアの設定を簡単に行う。【解決手段】新聞の折込広告の発注システムのセンタサーバ１は、地図データ記憶部１５と、販売店データ記憶部１６と、第１の銘柄の銘柄別配布エリアデータを含む発注明細データ１８とを有する。そして、Ｗｅｂサーバ１０の配布明細データ生成部１１は、第２の銘柄の販売店データと既に設定されている第１の銘柄の銘柄別配布エリアデータに基づいて、第１の銘柄の銘柄別配布エリアの外縁形状に基づいて、第２の銘柄の銘柄別配布エリアを設定する。さらに、前記第１または第２の銘柄別配布エリアの少なくとも一方を地図上に表示した画像を出力する。【選択図】図１
2008226266.tif 000002
【特許請求の範囲】
【請求項１】
新聞の折込広告の配布エリアを設定する装置であって、
地図データを記憶する地図データ記憶手段と、
複数の新聞の銘柄別に、それぞれの銘柄の新聞を販売する販売店がそれぞれ新聞を配布する販売店エリアの外縁を示す販売店エリアデータを含む販売店データを記憶する販売店データ記憶手段と、
第１の銘柄の新聞を販売する複数の販売店の販売店エリアからなる第１の銘柄別配布エリアの外縁を示す第１の銘柄別配布エリアデータを記憶する銘柄別配布エリアデータ記憶手段と、
前記第１の銘柄とは異なる第２の銘柄の新聞を販売する販売店の販売店エリアデータ及び前記第１の銘柄別配布エリアデータに基づいて、前記第２の銘柄の販売店の販売店エリアの所定以上の面積が前記第１の銘柄別配布エリア内に含まれる一以上の販売店を選択し、選択された一以上の販売店の販売店エリアからなる第２の銘柄別配布エリアの外縁を示す第２の銘柄別配布エリアデータを生成する銘柄別配布エリア生成手段と、
前記地図データを用いて表示した地図上に、少なくとも前記第１または第２の銘柄別配布エリアのいずれか一方を示す表示を重ねた地図画像を出力するための出力処理手段とを備えた新聞の折込広告の配布エリア設定装置。
【発明の詳細な説明】
【技術分野】
【０００１】
本発明は、新聞の折込広告の配布エリアを設定する技術に関し、特に複数の異なる新聞銘柄ごとの配布エリアを設定する技術に関する。
【背景技術】
【０００２】
新聞の折込広告の配布エリアを設定するためのシステムとしては、例えば特許文献１に記載されているようなものが知られている。
【特許文献１】特開２００１−２５６４１９号公報
【発明の開示】
【発明が解決しようとする課題】
【０００３】
ここで、特許文献１のシステムでは、配布エリアを設定するためには、新聞の各銘柄の販売店がそれぞれ新聞を配布するエリアを、オペレータ自らが個別に選択をしなければならない。このため、多くの配布エリアを設定する場合には、オペレーションが面倒である。
【０００４】
また、同じ広告を複数の銘柄の新聞に折り込んで配布する場合、それぞれの銘柄別の配布エリアを相互に調整をしたいときもある。例えば、広告が配布されるエリアがなるべく同じになるようにしたい広告主もいる。
【０００５】
そこで、本発明の目的は、新聞の折込広告の配布エリアを簡単に設定できるようにすることである。
【０００６】
また、本発明の他の目的は、異なる新聞銘柄の配布エリア同士の相互の調整が容易にできるようにすることである。
【課題を解決するための手段】
【０００７】
本発明の一つの実施態様に従う新聞の折込広告の配布エリアを設定する装置は、地図データを記憶する地図データ記憶手段と、複数の新聞の銘柄別に、それぞれの銘柄の新聞を販売する販売店がそれぞれ新聞を配布する販売店エリアの外縁を示す販売店エリアデータを含む販売店データを記憶する販売店データ記憶手段と、第１の銘柄の新聞を販売する複数の販売店の販売店エリアからなる第１の銘柄別配布エリアの外縁を示す第１の銘柄別配布エリアデータを記憶する銘柄別配布エリアデータ記憶手段と、前記第１の銘柄とは異なる第２の銘柄の新聞を販売する販売店の販売店エリアデータ及び前記第１の銘柄別配布エリアデータに基づいて、前記第２の銘柄の販売店の販売店エリアの所定以上の面積が前記第１の銘柄別配布エリア内に含まれる一以上の販売店を選択し、選択された一以上の販売店の販売店エリアからなる第２の銘柄別配布エリアの外縁を示す第２の銘柄別配布エリアデータを生成する銘柄別配布エリア生成手段と、前記地図データを用いて表示した地図上に、少なくとも前記第１または第２の銘柄別配布エリアのいずれか一方を示す表示を重ねた地図画像を出力するための出力処理手段とを備える。
【発明を実施するための最良の形態】
【０００８】
以下、本発明の一実施形態に係る新聞の折込広告の発注システムについて、図面を参照して説明する。
【０００９】
図１は、本実施形態に係る新聞の折込広告の発注システムの構成図である。本システムは、銘柄別の折込広告の配布エリアを作成し、その配布エリアに広告を配布するための明細データを生成して、その配布明細データに基づいて発注を行う。
【００１０】
本システムは、同図に示すように、配布エリアの作成、配布明細データの生成及び発注に係る処理を行うセンタサーバ１と、複数のユーザ端末装置３，３，・・・とがネットワーク９を介して接続されている。
【００１１】
センタサーバ１及びユーザ端末装置３，３，・・・は、いずれも例えば汎用的なコンピュータシステムにより構成され、以下に説明するセンタサーバ１及びユーザ端末装置３，３，・・・内の個々の構成要素または機能は、例えば、コンピュータプログラムを実行することにより実現される。
【００１２】
ユーザ端末装置３，３，・・・は、キーボード及びポインティングデバイスなどの所定の入力装置と、液晶ディスプレイなどの所定の表示装置とを備える。そして、ユーザ端末装置３，３，・・・は、表示装置に後述する画面を表示して、ユーザが入力装置を用いて行った入力を受け付ける。
【００１３】
センタサーバ１にはＷｅｂサーバ１０、各ユーザ端末装置３，３，・・・にはＷｅｂブラウザ（以下、単にブラウザと称する場合もある）３０，３０，・・・がそれぞれ搭載され、Ｗｅｂサーバ１０とＷｅｂブラウザ３０，３０，・・・とが、例えばＨＴＴＰＳ（Ｈｙｐｅｒ  Ｔｅｘｔ  Ｔｒａｎｓｆｅｒ  Ｐｒｏｔｏｃｏｌ  Ｓｅｃｕｒｉｔｙ）に従って通信を行う。さらに、センタサーバ１は、地図データ記憶部１５と、販売店データ記憶部１６と、配布明細データ記憶部１７と、発注明細データ記憶部１８とを備える。
【００１４】
Ｗｅｂサーバ１０上では、配布明細データ生成部１１と、重複明細処理部１２と、発注処理部１３と、明細マージ処理部１４とが実現される。
【００１５】
配布明細データ生成部１１は、ユーザ端末装置３，３，・・・のＷｅｂブラウザ３０，３０，・・・からの指示に従って、ユーザ別の折込広告の配布エリア（銘柄別の配布エリア）を定め、折込広告を配布するための配布明細データを生成する。生成された配布明細データは、配布明細データ記憶部１７に格納される。配布明細データ生成部１１の処理の詳細は、画面遷移とともに後述する。
【００１６】
重複明細処理部１２は、配布明細データ生成部１１によって生成された配布明細データで重複する配布エリアの調整を行う。例えば、重複明細処理部１２は、配布明細データ記憶部１７または発注明細データ記憶部１８に格納されている配布明細データまたは発注明細データにおいて、同一販売店に同一の折込広告が入ることを示す配布明細データまたは発注明細データを抽出する。ユーザが抽出された配布明細データを修正する場合は、重複明細処理部１２はその修正を受け付ける。重複明細処理部１２の処理の詳細は、画面遷移とともに後述する。
【００１７】
発注処理部１３は、配布明細データ記憶部１７に格納されている配布明細データに基づいて、所定の発注処理を行う。発注処理部１３は、発注処理が完了した配布明細データを、配布明細データ記憶部１７から発注明細データ記憶部１８へ移動させる。
【００１８】
明細マージ処理部１４は、配布明細データ記憶部１７または発注明細データ記憶部１８に格納されている複数の配布明細データまたは発注明細データを一つの配布明細データまたは発注明細データにマージする。
【００１９】
販売店データ記憶部１６は、新聞販売店に関するデータを記憶する。例えば、販売店データ記憶部１６は、図２に示すようなデータ項目を有する。
【００２０】
すなわち、販売店データ記憶部１６は、販売店を識別する販売店コード１６１、販売店の名称１６２、住所１６３、緯度１６４、経度１６５、その販売店で取り扱う新聞の銘柄１６６、新聞の配布部数１６７、及び販売店エリアデータ１６８を含む。
【００２１】
ここで、販売店エリアデータ１６８には、各販売店が新聞を配布する範囲である販売店エリアの外縁を多角形で規定したときの各頂点Ｐの緯度及び経度が、始点となる頂点から隣り合う頂点の順序に記憶されている。従って、地図上で、販売店エリアデータ１６８に格納されている頂点Ｐの地点を結ぶと、その販売店が新聞を配布する販売店エリアが囲まれる。さらに、販売店エリアデータ１６８には、それぞれの販売店エリアの重心ＰＧの緯度及び経度も含まれる。
【００２２】
配布明細データ記憶部１７は、配布明細データ生成部１１が生成した配布エリアに折込広告を配布するための明細データを記憶する。例えば、配布明細データ記憶部１７は図３に示すようなデータ項目を有する。配布明細データ記憶部１７には、発注前の未確定なデータが記憶される。
【００２３】
すなわち、配布明細データ記憶部１７は、ユーザＩＤ１７１、配布明細ＩＤ１７２、折り込む新聞の銘柄１７３、折込広告タイトル１７４、この明細データの作成日１７５、折込広告の折込日１７６、折込広告のサイズ１７７、合計の配布枚数１７８、配布を担当する販売店のコード１７９及び銘柄別配布エリアデータ１７０を含む。なお、配布明細データ記憶部１７は、後述するユーザインタフェース画面上では、「マイボックス」と呼ばれる。
【００２４】
ユーザＩＤ１７１は、この配布明細データを生成したユーザの識別情報である。
【００２５】
配布明細ＩＤ１７２は、配布明細データが配布明細データ記憶部１７に新規で登録されるときに自動的に割り当てられる、この配布明細データの識別情報である。
【００２６】
銘柄１７３、折込広告タイトル１７４、折込日１７６、サイズ１７７及び配布枚数１７８は、後述する初期画面２１０（図５参照）で、それぞれ対応する項目にユーザが入力した値がセットされる。
【００２７】
作成日１７５は、この配布明細データが生成された日である。
【００２８】
販売店コード１７９は、配布明細データ生成部１１が生成した銘柄別配布エリアに含まれている販売店のコードである。
【００２９】
銘柄別配布エリアデータ１７０は、配布明細データ生成部１１が生成した銘柄別の配布エリアの外縁を示すデータである。つまり、この銘柄別の配布エリアは、販売店コード１７９に含まれる販売店の販売店エリアから構成されている。例えば、銘柄別配布エリアデータ１７０には、銘柄別の配布エリアの外縁上の複数の地点ＰＰの緯度及び経度と、銘柄別の配布エリアの重心の緯度及び経度ＰＰＧが記憶されている。
【００３０】
ここで、図４を参照して、配布明細データ生成部１１による銘柄別配布エリアデータ１７０の生成方法を説明する。同図には、配布明細データ生成部１１が生成した銘柄別の配布エリアＡ１が、地図上に重ねて表示されている様子を示す。ここで、銘柄別配布エリアＡ１の外縁は、この銘柄別配布エリアＡ１に含まれる販売店の販売店エリアデータ１６８の全頂点Ｐのうち、銘柄別配布エリアＡ１の内部に位置する点を除いた頂点Ｐで構成される。さらに、銘柄別配布エリアＡ１の重心ＰＰＧの緯度及び経度は、例えば、各販売店エリアの重心ＰＧの緯度及び経度を平均して算出される。銘柄別配布エリアＡ１の重心ＰＰＧからは、放射状に等間隔で複数の領域分割線Ｌ（図中では、符号Ｌは１カ所のみ示す）が引かれる。図４では、領域分割線Ｌは１０度間隔で合計３６本とする。従って、配布エリアＡ１が３６本の領域分割線Ｌにより、３６個のピースＰＣ（図中では、符号ＰＣは１カ所のみ示す）に分割される。
【００３１】
ここで、各ピースＰＣにおける銘柄別配布エリアＡ１の外縁上の一点が、各ピースＰＣを代表する代表外縁ポイントＰＰ（図中では、符号ＰＰは１カ所のみ示す）として抽出される。各ピースＰＣの代表外縁ポイントＰＰは、例えば、外縁上で重心ＰＰＧから最も遠い点、最も近い点、あるいは外縁上の任意の点などでもよい。代表外縁ポイントＰＰ及び重心ＰＰＧが銘柄別配布エリアデータ１７０を構成する。
【００３２】
発注明細データ記憶部１８には、発注済みの配布明細データが記憶される。発注明細データ記憶部１８のデータ項目は、例えば配布明細データ記憶部１７と同じで良い。なお、発注明細データ記憶部１８は、後述するユーザインタフェース画面上では、「確定ボックス」と呼ばれる。
【００３３】
以下、配布明細データ生成部１１が行う折込広告の銘柄別の配布エリアの作成処理について、画面遷移に従って説明する。
【００３４】
まず、配布明細データ生成部１１は、あるユーザ端末装置３のブラウザ３０からの要求に従って、初期画面２１０のデータを要求元のブラウザ３０へ提供する。要求元のユーザ端末装置３では、初期画面２１０が表示される。
【００３５】
初期画面２１０の一例を図５に示す。この初期画面２１０は、同図に示すように、折込予定日２１１，折込広告サイズ２１２，折込枚数２１３，折込広告タイトル２１４，折込地域２１５及び配布銘柄２１６のそれぞれの入力領域を有する。ユーザは、各項目に所定の事項を入力する。
【００３６】
ユーザは、配布銘柄の入力領域２１６において、一つ以上の銘柄を選択することができる。選択された銘柄は、配布銘柄表示領域２１７に表示される。複数の銘柄が選択されたときは、配布銘柄表示領域２１７で一番上に表示された銘柄が主銘柄となる。
【００３７】
ここで、ユーザにより「ＭＡＰから作成」ボタン２１８が押されると、初期画面２１０の各項目で設定された情報が、センタサーバ１の配布明細データ生成部１１へ送られる。配布明細データ生成部１１は、送られた情報を保持するとともに、折込地域２１５で指定された地域の地図データを地図データ記憶部１５から取得する。そして、配布明細データ生成部１１は配布エリア設定画面２２０を生成し、その画面２２０のデータを要求元ユーザ端末装置３０のブラウザ３０へ送信する。要求元のユーザ端末装置３では、配布エリア設定画面２２０が表示される。配布明細データ生成部１１は、後述するようなユーザ操作に応じて、配布エリア設定画面２４０〜２９０へ遷移させる。
【００３８】
配布エリア設定画面２２０の一例を図６に示す。配布エリア設定画面２２０は、同図に示すように、折込予定日２２１、折込広告タイトル２２２、折込広告サイズ２２３，配布予定銘柄２２４、折込枚数２２５及び現在の銘柄２２６のそれぞれの表示領域と、地図の表示領域２３０とを有する。
【００３９】
折込予定日２２１、折込広告タイトル２２２、折込広告サイズ２２３、配布予定銘柄２２４及び折込枚数２２５は、それぞれ、初期画面２１０において、折込予定日２１１，折込広告タイトル２１４，折込広告サイズ２１２，配布銘柄２１６，及び折込枚数２１３で入力されたものである。
【００４０】
地図の表示領域２３０には、初期画面２１０の折込地域２１５で指定された地域の地図が表示される。地図の表示領域２３０は、地図データ記憶部１５から取得した地図データに基づいて地図が表示される。
【００４１】
現在の銘柄２２６は、配布銘柄２２４の中からユーザが選択した銘柄である。現在の銘柄２２６に表示されている銘柄の販売店の販売店エリアの境界線２３１が、地図の表示領域２３０に地図に重ねて表示されている。販売店エリアの境界線２３１は、販売店データ記憶部１６に記憶されている販売店データの販売店エリアデータ１６８に基づいて表示される。
【００４２】
また、配布エリア設定画面２２０は、配布エリアを設定するための設定条件の指定方法の選択領域２２７を有する。設定条件の指定方法の選択領域２２７において、ユーザは配布エリアを設定するための設定条件の指定方法を選択することができる。設定条件の指定方法には、例えば、「円形」、「多角形」、「直接」及び「串刺」がある。ユーザは、自らが選択した指定方法に従って、地図表示領域２３０上で配布エリアの設定条件を指定することができる。配布明細データ生成部１１は、指定された設定条件に従って複数の販売店を選択して、その販売店の販売店エリアからなる配布エリアを設定する。
【００４３】
具体的な配布エリアの設定の手順について、図７〜図９を用いて説明する。
【００４４】
図７は、設定条件の指定方法の選択領域２２７において「円形」が選択された場合の配布エリア設定画面２４０の一例を示す。
【００４５】
この画面２４０において、ユーザが中心点とその半径を指定すると、地図の表示領域２３０において円２３２が描画される。中心点及び半径の指定は、例えばポインティングデバイスを用いて行っても良い。配布明細データ生成部１１は、この円２３２に基づいて販売店を抽出し、抽出された販売店の販売店エリアからなる折込広告を配布する配布エリアを定める。例えば、配布明細データ生成部１１は、円２３２の領域内に属する販売店エリアの販売店を抽出する。ここで、配布明細データ生成部１１は、例えば、円２３２内に入る販売店の販売店エリアの面積に応じて、抽出するか否かの判定を行っても良い。例えば、配布明細データ生成部１１は、販売店の販売店エリアの一部でも円２３２内に入っていれば、その販売店のエリアを抽出しても良いし、所定の割合以上の面積が円２３２内に入っていれば抽出するようにしても良いし、販売店の販売店エリアの全域が円２３２内に入っているものだけを抽出しても良い。
【００４６】
配布明細データ生成部１１は、ここで定まる配布エリア（つまり抽出された販売店の販売店エリア）にハッチングをかける。
【００４７】
また、配布明細データ生成部１１は、販売店データ記憶部１６を参照して、上記のようにして抽出された販売店の名称及び各販売店が配布する折込広告の枚数などを含む配布明細データを生成する。この配布明細データが画面２４０の明細データ表示領域２４３に表示される。この表示領域２４３において、各販売店の折込広告の配布枚数には、それぞれの販売店の新聞の配布部数１６７がデフォルトとしてセットされる。ユーザは各販売店の折込広告の配布枚数を、それぞれの販売店の新聞の配布部数１６７を上限として変更が可能である。
【００４８】
次に、図８は、設定条件の指定方法の選択領域２２７において「多角形」が選択された場合の配布エリア設定画面２５０の一例を示す。
【００４９】
この画面２５０において、ユーザは、地図領域２３０においてポインティングデバイスなどを用いて多角形２５１を描くことができる。ユーザが同図に示すように、多角形２５１により閉領域を指定すると、図７の場合と同様に、配布明細データ生成部１１は、この多角形２５１に基づいて販売店を抽出して、この販売店の販売店エリアに基づいて配布エリアを定め、ハッチングをかける。ここで、配布明細データ生成部１１が販売店を抽出する手順は、図７の場合と同様に、多角形２５１の領域内に属する販売店エリアの販売店を抽出するようにしてもよい。
【００５０】
なお、図７では円、図８では多角形で閉領域を指定したが、これ以外にも楕円、曲線、あるいは直線と曲線の混合など、種々の方法を用いて閉領域を指定してもよい。
【００５１】
つぎに、設定条件の指定方法の選択領域２２７において「直接」が選択されると、地図領域２３０においてポインティングデバイスなどを用いて、販売店エリアを直接選択することで、配布エリアに含めるか否かを決めることができる。図７及び図８のように、他の方法で配布エリアが設定された状態であっても、選択領域２２７において「直接」を改めて選択することで、既に設定されている配布エリアを変更することもできる。
【００５２】
例えば、図９は、図７のようにして配布エリアを設定した後、配布エリアの指定方法を「直接」に変更して、販売店を追加していった場合の例である。
【００５３】
次に、図１０は、設定条件の指定方法の選択領域２２７において「串刺」が選択された場合の配布エリア設定画面２７０の一例を示す。
【００５４】
「串刺」とは、初期画面２１０において複数銘柄が選択されているときに、第１番目の銘柄（主銘柄）について配布エリアを設定した後、第２番目以降の銘柄については第１番目の銘柄（主銘柄）と同じ条件で販売店を抽出して配布エリアを設定する機能である。例えば、図７のように第１番目の銘柄（主銘柄）について設定条件として円を指定して配布エリアを設定したときは（図７参照）、配布明細データ生成部１１は、ユーザが再び設定条件を入力しなくても、同一の設定条件、つまり同一地点を中心とする同一半径の円について、第２の銘柄の販売店を抽出して、その銘柄の配布エリアを設定する。
【００５５】
また、「串刺」の場合、配布明細データ生成部１１は、主銘柄の配布エリアの外縁を示す銘柄別配布エリアデータ１７０に基づいて、第２番目以降の銘柄の配布エリアを設定してもよい。例えば、図１１は、「串刺」が選択された場合の別の配布エリア設定画面２９０の一例を示す。
【００５６】
同図に示すように、まず、主銘柄の銘柄別配布エリアデータ１７０により、主銘柄の配布エリアＡ２の外縁が定まる。配布明細データ生成部１１は、主銘柄の銘柄別配布エリアデータ１７０と、新たに銘柄別配布エリアを設定する対象となる銘柄の販売店の販売店エリアデータ１６８とを対比して、販売店エリアデータ１６８の全頂点Ｐが主銘柄の配布エリアＡ２内（つまり、販売店エリアの全領域が主銘柄の配布エリアＡ２内）に位置する販売店を特定する。さらに、配布明細データ生成部１１は、対象銘柄の販売店エリアデータ１６８の一部の頂点Ｐが主銘柄の配布エリアＡ２の内部であり、他の頂点Ｐが主銘柄の配布エリアＡ２の外部（つまり、販売店エリアの一部領域が主銘柄の配布エリアＡ２内）である販売店があるときは、その販売店の販売店エリアの所定以上の面積が主銘柄の配布エリアＡ２内に含まれる販売店を特定する。ここで、対象銘柄の販売店エリアの所定以上の面積が主銘柄の配布エリアＡ２内とは、例えば、販売店エリアと主銘柄の配布エリアＡ２とが重なっている部分の面積が、販売店エリアの面積の所定割合（例えば５０％）以上であるときや、この重なり部分の面積が存在するときなどである。この結果、上記のようにして特定された対象銘柄の販売店の販売店エリアからなる銘柄別配布エリアＡ３が生成され、生成された銘柄別配布エリアＡ３の外縁を示すデータが、対象となる銘柄の銘柄別配布エリアデータ１７０として設定される。銘柄別配布エリアデータ１７０の代表外縁ポイントＰＰは、例えば、図４で説明した手法によって設定してもよい。
【００５７】
銘柄別配布エリアＡ３が設定された後は、配布エリア設定画面２９０に銘柄別配布エリアＡ２及びＡ３の少なくともいずれか一方を表示するようにしても良い。
【００５８】
これにより、異なる銘柄について、外縁の形状が近似する配布エリアを設定することができる。その結果、複数の銘柄に折込広告を入れたときでも、ほぼ同じ範囲に広告を配布することができ、地域限定の広告の効果を高めることができる。
【００５９】
ところで、各銘柄の販売店の販売店エリアの形状が異なるので、第１番目の銘柄の配布エリアの外縁と第２の銘柄の配布エリアの外縁は完全に同一形状にはならない。例えば、図７と図１０を比較すれば、互いの配布エリアの外縁の形状の相違は明瞭である。
【００６０】
このように、銘柄によって配布エリアの外縁の形状が相違するので、本実施形態に係るシステムでは「主銘柄トレース機能」によってこれらを調整することができる。すなわち、「主銘柄トレース機能」とは、地図領域２３０において、既に設定されている主銘柄の配布エリアを地図上に表示した状態で、第２番目以降の他の銘柄について配布エリアを設定する機能である。
【００６１】
図１２は、「主銘柄トレース機能」がＯＮになっている場合の配布エリア設定画面２８０の一例を示す。つまり、同図に示すように、主銘柄の既に設定されている配布エリア２８１（図中実線で示す）のハッチングが地図上に表示された状態で、ユーザがポインティングデバイスなどを用いて直接選択することにより、他の銘柄の配布エリア２８２（図中点線で示す）を設定することができる。この機能を利用すれば、同図に示すように、同一地図上に既に設定されている主銘柄の配布エリアを下敷きとして、他の銘柄の配布エリアを設定することができる。これにより、複数の銘柄の配布エリアの外縁の形状が近似するように、周辺部の販売店の販売店エリアを配布エリアに組み入れたり、配布エリアから除外したりすることができる。
【００６２】
上記のようにして生成された各銘柄の配布エリアを構成する販売店及び各販売店の配布枚数を含む配布明細データは、配布明細データ記憶部１７に格納される。なお、配布明細データ記憶部１７では、配布明細データの格納領域がユーザ別に分かれていても良い。各ユーザは、自分が作成し、配布明細データ記憶部１７に格納された配布明細データを再び呼び出して自由に編集することができる。例えば、配布明細データ生成部１１は、あるユーザ端末装置３のブラウザ３０からの要求に従って、配布明細データの一覧画面３１０のデータを要求元のブラウザ３０へ提供する。要求元のユーザ端末装置３では、配布明細データの一覧画面３１０が表示される。
【００６３】
本システムでは、折込広告の配布枚数に基づいて配布エリアを設定することもできる。すなわち、配布明細データ生成部１１は、初期画面２１０で入力された折込枚数２１３を全配布枚数として、配布エリアを構成する各販売店の配布枚数の合計が、全配布枚数の近傍になるように複数の販売店を選択して、配布エリアを設定する。
【００６４】
例えば、表示領域２３０に表示されている地図上の基準点（ユーザが指定した点、あるいは表示領域２３０の中心点）が属している販売店エリアと、その販売店エリアから連続している販売店エリアを配布エリアとして選択して行く。このとき、例えば、基準点が属している販売店エリアから同心円状にその周囲の販売店エリアへ範囲を広げていってもよい。
【００６５】
また、配布明細データ生成部１１は、初期画面２１０の配布銘柄２１６で複数の銘柄が選択されているときは、選択された複数の銘柄のそれぞれの配布枚数が実質的に均等になるように、それぞれの銘柄の配布エリアを設定してもよいし、オペレータが指定した銘柄ごとの配布枚数の比を示す銘柄比をオペレータが指定したときは、それぞれの銘柄の配布エリアを設定してもよい。
【００６６】
図１３は、配布明細データの一覧画面３１０である。ユーザは、この画面３１０を用いて、配布明細データ記憶部１７に格納されている自己の配布明細データ（未確定分）を参照できる。
【００６７】
配布明細データの一覧画面３１０は、配布案ＩＤ（配布明細ＩＤと同じ）３１１、折込タイトル３１２、枚数３１３、折込日３１４及び折込サイズ３１５のそれぞれの入力領域と、検索ボタン３１６と、配布明細の表示領域３１７とを有する。
【００６８】
この画面３１０において、検索ボタン３１６が押されると、各入力領域３１１〜３１５にそれぞれ入力された値を検索条件として、配布明細データ記憶部１７から配布明細データが抽出されて、配布明細データの表示領域３１７に表示される。
【００６９】
ここで、「発注手続きへ」ボタン３１８が押されると、発注処理部１３が選択領域３１７１で選択された配布明細データに基づいて、所定の発注処理を実行する。そして、発注処理部１３は、発注済みの配布明細データを配布明細データ記憶部１７から発注明細データ記憶部１８へ移動する。
【００７０】
なお、画面３１０において、新規作成ボタン３１９が押されると初期画面２１０へ遷移する。ユーザは、初期画面２１０で新たな配布明細データを生成することができる。
【００７１】
図１４は、発注済みの配布明細データ（発注明細データ）の一覧画面３２０である。ユーザは、この画面３２０を用いて、発注明細データ記憶部１８に格納されている自己の発注明細データを参照できる。
【００７２】
発注済みの配布明細データである発注明細データの一覧画面３２０は、受発注ＩＤ（配布明細ＩＤと同じ）３２１、折込タイトル３２２、枚数３２３、折込日３２４及び折込サイズ３２５のそれぞれの入力領域と、検索ボタン３２６と、発注明細データの表示領域３２７とを有する。
【００７３】
発注明細データの表示領域３２７には、発注明細データごとに参照ボタン３２８と再利用ボタン３２９が設けられている。ここで、参照ボタン３２８が押されると、それぞれの発注明細データの内容を参照できる。再利用ボタン３２９が押されると初期画面２１０へ遷移し、それぞれの発注明細データの配布エリアが２３０に表示される。これにより、過去の発注明細データの配布エリアを再利用することができる。
【００７４】
ところで、本システムは、複数のユーザがそれぞれ、配布エリアを設定して、折込広告の配布の発注をすることができる。そこで、複数の支店を有する企業が、それぞれの支店の担当者がそれぞれ独自に本システムを利用して、折込広告を発注することもできる。このようなときには、ある地域に対して同一企業の折込広告の発注が重複してなされるようなことも起こりうる。そこで、本システムは、重複する発注明細データを抽出する重複チェック機能を有する。
【００７５】
ユーザ端末装置３からの要求に基づいて、重複明細処理部１２が重複確認画面４１０を生成して、その画面４１０のデータを要求元ユーザ端末装置３のブラウザ３０へ送信する。要求元のユーザ端末装置３では、重複確認画面４１０が表示される。
【００７６】
図１５は、重複確認画面４１０の一例を示す。
【００７７】
この画面４１０は、折込日４１１、折込タイトル４１２，サイズ４１３、枚数４１４、ボックス選択４１５のそれぞれの入力領域と、検索ボタン４１６と、抽出された明細データの表示領域４１７とを有する。ボックス選択４１５は、検索対象を配布明細データ記憶部１７とするか、発注明細データ記憶部１８とするか、あるいはその両方とするかの選択領域である。
【００７８】
この画面４１０において、検索ボタン４１６が押されると、各入力領域４１１〜４１５にそれぞれ入力された値を検索条件として、配布明細データ記憶部１７または発注明細データ記憶部１８から配布明細データまたは発注明細データが抽出されて、明細データ表示領域４１７に表示される。
【００７９】
明細データ表示領域４１７は、各明細データの選択領域４１８を有する。ここで、重複チェックボタン４１９が押されると、重複明細処理部１２が選択領域４１８で選択された明細データの中で、同一販売店を含む明細データのみを抽出する。重複明細処理部１２は、ここで抽出された明細データの重複販売店を示す重複販売店リスト画面４２０を生成して、この画面４２０へ遷移させる。重複販売店リスト画面４２０の一例を図１６に示す。
【００８０】
ここで抽出された重複販売店の情報は、地図上に表示しても良い。例えば、重複している販売店の販売店エリアと、重複していない販売店の販売店エリアとを、互いに異なる表示態様で表示させるようにしてもよい。さらには、重複している販売店であっても、配布日も同一の場合と配布日が異なる場合とで、さらに異なる表示態様で表示させるようにしても良い。これは、同日に同じ広告が同じ家庭へ複数枚配布されるのは好ましくないが、異なる日に同じ広告が同じ家庭へ配布されることの善し悪しは、それぞれの企業の方針によるので、これらを区別できるようにしている。
【００８１】
また、本システムは、複数配布明細データまたは発注明細データをマージする機能を有する。
【００８２】
ユーザ端末装置３からの要求に基づいて、明細マージ処理部１４がマージ処理画面４３０を生成して、その画面４３０のデータを要求元ユーザ端末装置３のブラウザ３０へ送信する。要求元のユーザ端末装置３では、マージ処理画面４３０が表示される。
【００８３】
図１７は、明細データのマージ処理画面４３０の一例を示す。
【００８４】
この画面４３０は、折込日４３１、折込タイトル４３２，サイズ４３３、枚数４３４、ボックス選択４３５のそれぞれの入力領域と、検索ボタン４３６と、抽出された明細データの表示領域４３７とを有する。ボックス選択４３５は、重複確認画面４１０のボックス選択４１５と同様である。
【００８５】
この画面４３０において、検索ボタン４３６が押されると、各入力領域４３１〜４３５にそれぞれ入力された値を検索条件として、配布明細データ記憶部１７または発注明細データ記憶部１８から配布明細データまたは発注明細データが抽出されて、明細データ表示領域４３７に表示される。
【００８６】
明細データ表示領域４３７は、各明細データの選択領域４３８を有する。ここで、マージ実行ボタン４３９が押されると、明細マージ処理部１４が選択領域４３８で選択された複数の明細データを一つの明細データにマージして、配布明細データ記憶部１７のデータを更新する。
【００８７】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００８８】
たとえば、地図データ及び販売店データなどは、センタサーバとは別のサーバマシン上に存在してもよい。さらには、センタサーバが、折込広告の料金見積もり機能や、折込印刷の印刷管理機能などを有するサーバと同一のサーバマシンであってもよい。
【図面の簡単な説明】
【００８９】
【図１】本発明の一実施形態に係る新聞の折込広告の発注システムの構成図である。
【図２】販売店データ記憶部のデータ項目の一例を示す。
【図３】配布明細データ記憶部のデータ項目の一例を示す。
【図４】銘柄別配布エリアデータ１７０の生成手順の説明図である。
【図５】本システムの初期画面２１０の一例を示す。
【図６】本システムの配布エリア設定画面２２０の一例を示す。
【図７】本システムの配布エリア設定画面２４０の一例を示す。
【図８】本システムの配布エリア設定画面２５０の一例を示す。
【図９】本システムの配布エリア設定画面２６０の一例を示す。
【図１０】本システムの配布エリア設定画面２７０の一例を示す。
【図１１】本システムの配布エリア設定画面２９０の一例を示す。
【図１２】本システムの配布エリア設定画面２８０の一例を示す。
【図１３】本システムの配布明細データの一覧画面３１０の一例を示す。
【図１４】本システムの配布明細データの一覧画面３２０の一例を示す。
【図１５】本システムの配布明細データの一覧画面４１０の一例を示す。
【図１６】本システムの配布明細データの一覧画面４２０の一例を示す。
【図１７】本システムの配布明細データの一覧画面４３０の一例を示す。
【符号の説明】
【００９０】
１…センタサーバ、３，３，・・・…ユーザ端末装置、１０…Ｗｅｂサーバ、１１…配布明細データ生成部、１２…重複明細処理部、１３…発注処理部、１４…明細マージ処理部、１５…地図データ記憶部、１６…販売店データ記憶部、１７…配布明細データ記憶部、１８…発注明細データ記憶部、３０，３０，・・・…Ｗｅｂブラウザ。
【図１】
2008226266.tif 000003
【図２】
2008226266.tif 000004
【図３】
2008226266.tif 000005
【図４】
2008226266.tif 000006
【図５】
2008226266.tif 000007
【図６】
2008226266.tif 000008
【図７】
2008226266.tif 000009
【図８】
2008226266.tif 000010
【図９】
2008226266.tif 000011
【図１０】
2008226266.tif 000012
【図１１】
2008226266.tif 000013
【図１２】
2008226266.tif 000014
【図１３】
2008226266.tif 000015
【図１４】
2008226266.tif 000016
【図１５】
2008226266.tif 000017
【図１６】
2008226266.tif 000018
【図１７】
2008226266.tif 000019